(57)【要約】不正開封防止機能付分配構造体（５０）を、折り畳み可能な袋状容器（６０）に密封されるように設ける。この構造体（５０）は、互いに別々に成型され、袋状容器内の開口で袋状容器（６０）の周面に密封することができる、備品（７０）および蓋構造体（８０）を含んでいる。備品（７０）は受け部（９３）、および備品（７０）を通過する少なくとも１つの分配流路（８４）を有する。蓋構造体（８０）は、備品の受け部（９３）に固定かつ解放不可能に取り付けられる基部（１３）と、分配通路（８４）を塞ぐように、備品（７０）上に密封的かつ取り外し可能に取り付けられるキャップ（１６０）と、キャップ（１６０）を基部（１３０）から離すことに対応するように、キャップ（１６０）を基部（１３０）に連結させる少なくとも第１の壊れやすいウェブ（１８０）とを含んでいる。
2004533974.tif 000002
【特許請求の範囲】
【請求項１】
内部領域を画定するように、また、内部領域に開口する開口であって、分配構造体（５０）が折り畳み可能な袋状容器（６０）に密封された時、分配構造体（５０）の一部を受けるようになっている開口を画定するように互いに密封された対向する２つの可撓性ウェブ部（６１、６２）を有する折り畳み可能な袋状容器（６０）に密封される、不正開封防止機能付分配構造体（５０）であって、備品（７０）と、前記備品（７０）とは別に成形され、したがってこの備品に取り付けることができる蓋構造体（８０）との少なくとも２つの部品を含む不正開封防止機能付分配構造体（５０）にして、
前記備品（７０）が、前記開口で備品（７０）の周囲で前記袋状容器（６０）に密封される、少なくとも１つの表面（９１、９２）と、受け部（９３）と、前記備品（７０）を通過する少なくとも１つの分配通路（８４）とを有し、
前記蓋構造体（８０）が、前記備品の受け部（９３）に固定可能かつ解放不可能に取り付けられる基部（１３０）と、前記分配通路（８４）を塞ぐように、前記備品（７０）上に密封的にかつ取り外し可能に取り付けられる、キャップ（１６０）と、前記キャップ（１６０）を前記基部（１３０）から離すのに対応するように、前記キャップ（１６０）を前記基部（１３０）に連結させる、少なくとも第１の壊れやすいウェブ（１８０）とを有している不正開封防止機能付分配構造体。
【請求項２】
前記備品が、前記少なくとも１つの表面を画定する本体と、前記キャップによって閉じる、前記本体および受け部の上に延びる注ぎ口とを含み、
前記分配通路が、前記本体および前記注ぎ口を通って延びる、請求項１に記載の不正開封防止機能付分配構造体。
【請求項３】
前記蓋構造体および前記備品が最初、組み立てられていない、請求項１に記載の不正開封防止機能付分配構造体。
【請求項４】
不正開封防止機能付分配構造体が、前記第１の壊れやすいウェブが開封帯を前記基部に連結させた状態で、前記キャップと前記基部の間に開封帯をさらに含み、前記開封帯がほぼ円錐台形の構造をしている、請求項１に記載の不正開封防止機能付分配構造体。
【請求項５】
前記第１の壊れやすいウェブが、厚さ断面を小さくした材料によって画定される、請求項１に記載の不正開封防止機能付分配構造体。
【請求項６】
前記蓋構造体がさらに、
前記キャップと前記基部の間に配置され、前記第１の壊れやすいウェブによって一縁部に沿って画定される開封帯と、
第２の壊れやすいウェブを引き裂いた後に、前記開封帯が前記キャップに取り付けられたままであるように、前記開封帯の一部のみを前記キャップに連結させる第２の壊れやすいウェブとを含む、請求項１に記載の不正開封防止機能付分配構造体。
【請求項７】
前記開封帯が、ほぼ円錐台形の構造をしており、
前記第１および第２の壊れやすいウェブはそれぞれ、厚さ断面を小さくした材料によって画定され、
前記開封帯が、把持可能なタブ、および前記キャップと合体する反対側の端部を含み、
前記第２の壊れやすいウェブが、前記把持可能なタブから前記反対側の端部まで延びる、請求項６に記載の不正開封防止機能付分配構造体。
【請求項８】
前記キャップが内ねじを有し、前記備品が、前記キャップの内ねじとねじ係合する、外ねじを備える注ぎ口を有する、請求項１に記載の不正開封防止機能付分配構造体。
【請求項９】
前記備品が下側本体を含み、
前記受け部が、前記備品をレール上に保持するように、前記本体の上に間隔を置いて配置され、本体から外側に延びるタブを備えるプラットホームを含む、請求項１に記載の不正開封防止機能付分配構造体。
【請求項１０】
前記備品の受け部のプラットホームが、前記プラットホームを通って延びる少なくとも１つの開口部を画定し、
前記蓋構造体基部が、
ポストと、
前記ポストの遠位端部に配置され、ヘッドおよびプラットホームの少なくとも１つを一時的に弾性変形させることにより、ヘッドをプラットホーム開口部を通して押し込むことができるように、前記少なくとも１つの開口部より広い大きなヘッドとを含み、
それによって前記備品および蓋構造体を取り外し不可能なスナップばめ係合で保持するように、前記ヘッドを前記プラットホームに隣接して配置した状態で、前記ポストを前記開口部に受けさせることができる、請求項９に記載の不正開封防止機能付分配構造体。
【発明の詳細な説明】
【技術分野】
【０００１】
本発明は、流動製品を入れた折り畳み可能な袋状容器用の２部品からなる不正開封防止機能付分配構造体に関する。
【背景技術】
【０００２】
折り畳み可能な袋状容器は普通、食品、飲料、パーソナル・ケア用品、日用品、または液体、ローション、ゲル、ペーストなどの形の他の類似製品または非類似製品を含む、様々な製品を包装するのに使用される。このような袋状容器は普通、可撓性のある熱密封可能な高分子シートから、または熱密封可能な高分子裏張りを有する可撓性のあるボール紙または金属箔シートから作られる。袋状容器は普通、このような製品を入れるようになっている内部領域を画定し、袋状容器内部領域と袋状容器の外部の間の繋がりを確立する開口を画定するように、互いに周囲が密封された対向する２つの可撓性ウェブ部を有する。この開口は、分配備品を受けるようになっており、この備品により分配弁、および取り出し可能なカバー、または他の類似または非類似機構を組み込むことができるとともに、折り畳み可能な袋状容器のウェブ部に熱密封させることができる高分子材料から成形されている。
【０００３】
分配弁および取り出し可能なカバーを組み込んだ、このような備品の例が、Ｉｌｌｉｎｏｉｓ州、Ｃｒｙｓｔａｌ  ＬａｋｅのＡｐｔａｒＧｒｏｕｐ，  Ｉｎｃ．に譲渡された、米国特許第６，０５０，４５１号に開示されている。ここに開示されているように、備品の基部は、備品の対向する２つの端部で収束し、備品を垂直に向けると、垂直に向けられる２つの側壁を有する。さらに、側壁はそれぞれ、間隔を置いて配置した一連のリブを有し、これらのリブは各側壁から突出し、折り畳み可能な袋状容器のウェブ部のうちの関連する１つをこれに熱密封することができる。
【０００４】
上述の先行技術の構造は、設計した応用例において十分な機能を果たすが、製造者と、さらに消費者に追加の利益を与えることができる改良型の分配構造体を提供することが望ましい。
【０００５】
例えば、分配構造体が非常に容易に開けられるが、視認性の高い不正開封防止機構を含むことができる、袋状容器用の改良型の分配構造体を提供することが利点である。
【０００６】
このような改良型の構造が、袋状容器または備品を密封閉塞する前に、袋状容器に製品を詰めるため、必要に応じて袋状容器を支持する手段の使用に適応することができることが利点である。
【０００７】
このような改良型の分配構造体が、金型アセンブリ内のキャビティの数を最大にするため、また費用を最小限に抑えるため、単純な真っ直ぐ引っ張った成型動作による該構造の成型に対応することができることが有利である。
【０００８】
さらに、不正開封防止機構を備えている場合、このような分配構造体が、分配構造体を最初に開いた後に処分する必要がある廃棄片の生成を無くす、または少なくとも実質的に最小限に抑えるように機能できることが望ましい。
【０００９】
また、開いた後の、このような改良型の不正開封防止分配構造体は、開いた袋状容器が製品を分配するのに使用される場合、または開いた袋状容器を別の方法で取り扱う場合、このような片がバタバタ動くまたはばらばらに小刻みに揺れることができるように、いかなる片も備品の上にばらばらには保持しないという利点がある。
【００１０】
いったん開けると、製品の流れに対する、または分配構造体を受入容器、またはさらには使用者の口へ挿入することに対する明らかな干渉を回避するように、製品分配領域内に最小限の障害のみを与える、または障害を与えない、このような改良型の分配構造体を提供することも望ましい。
【００１１】
さらに、このような改良型の構造を、多数の使用の間にシステムを密封して、閉じることができるように、キャップなどの封止体部材の再設置に簡単に対応するように設計することが利点である。
【００１２】
このような改良型の分配構造体が、製品の流出の可能性を少なくして、製品の分配を制御するために外部または内部分配弁の任意選択での使用に対応できることが有利である。
【００１３】
また、袋状容器に製品を詰めるシステムを簡単にする、このような改良型の分配構造体を提供することが望ましい。例えば、このような改良型の分配構造体により、製造ラインにおいて安定した方法かつ、その後分配構造体の封止体を簡単に受けるように、分配構造体の少なくとも一部を通して袋状容器を詰めることができることに利点がある。
【００１４】
本発明により、上に論じた利点、利益、および特徴を提供する、設計要素を組み込むことが可能になる。
【発明の開示】
【発明が解決しようとする課題】
【００１５】
本発明は、折り畳み可能な袋状容器に密封される不正開封防止機能付分配構造体を提供する。この袋状容器は、内部領域を画定するように、また内部領域への開口を画定するように、互いに密封される対向する２つの可撓性ウェブ部を有する。この開口は、分配構造体が折り畳み可能な袋状容器に密封されると、分配構造体の一部を受けるようになっている。
【課題を解決するための手段】
【００１６】
本発明の分配構造体により、製造者が袋状容器に製品を詰めることができるようになり、いくつかの任意の方法で分配構造体を袋状容器に設置することができるようになる。
【００１７】
好ましい一形態では、最初、空の袋状容器は、分配構造体の第１の部分がその中に配置され密封的に取り付けられる開口を除く、全周囲で密封される。分配構造体の取り付けられた第１の部分は、流動材料の袋状容器内へのまたは袋状容器からの流れを受ける通路を含んでいる。袋状容器の上部に設置した分配構造体の第１の部分により、袋状容器に製品を詰めることができる。したがって、分配構造体の第２の部分を、密封した封止体を作るように分配構造体の第１の部分に取り付けることができる。本発明の最も好ましい形態において、分配構造体の第１の部分は備品であり、この備品は流路を含み、備品により袋状容器に液体製品を詰めるのに適切な充填装置を通して運ばれるレール上に、袋状容器が密封的に取り付けられた状態で、備品を支持することができる、複数の支持タブを含んでいる。したがって、密閉したパッケージを形成するように、蓋構造体などの分配構造体の第２の部分を備品上に設置することができる。
【００１８】
より複雑であるが、第２の代替形態では最初、分配構造体備品および蓋構造体を袋状容器上に設置する前に、空の袋状容器に流動製品を詰めることができる。袋状容器の上部の開口を通して袋状容器に製品を詰めた後に、開いた袋状容器の上部に熱密封される、既に組み立てられた一体型の閉塞した分配構造体として、分配構造体備品および蓋構造体を設けることができる。
【００１９】
本発明の分配構造体によって、第３の代替形態に対応することができる。特に、備品および取り付けられ閉塞した蓋構造体を含む分配構造体を、最初に袋状容器の開口に密封することができるが、袋状容器の反対側の底端部を開けたままにすることができる。次いで、袋状容器を逆さまにすることができ、開いている端部を通して袋状容器に製品を詰めることができる。したがって、袋状容器の開いている端部を密封閉塞することができる。
【００２０】
しかし、本発明は、（１）最初、袋状容器の上部の開口を除いた、全周で密封される空の袋状容器を提供するプロセスと、（２）分配構造体の第１の部分または備品を開口において袋状容器に熱密封するプロセスと、（３）袋状容器および備品を備品上の支持タブから懸架させる間に、備品内の分配通路を通して袋状容器に製品を詰めるプロセスと、（４）最後に、パッケージ用の密封した封止体を形成するように、蓋構造体を備品上に設置するプロセスにおいて、使用することにより、本発明に固有の容易性および効率を利用することを、大部分の製品パッケージの使用者が望むだろうと考慮している。
【００２１】
本発明の好ましい態様によると、備品は、袋状容器の開口で備品の周囲で袋状容器に密封される少なくとも１つの表面を有する。この備品はまた、蓋構造体用受け部、および備品を通る少なくとも１つの分配通路を有する。
【００２２】
蓋構造体を、備品とは別に成型し、したがって備品に取り付けることができる。蓋構造体は、備品受け部に固定可能かつ解放不可能に取り付けられる基部を有する。蓋構造体はまた、分配通路を塞ぐように、備品上に密封可能かつ取り外し可能に取り付けられるキャップを有する。蓋構造体はまた、その後にキャップを基部から離すことに対応するように、キャップを基部に連結する少なくとも第１の壊れやすいウェブを有する。
【００２３】
現時点で好ましい一実施例において、備品は本体と、本体の上に延びる注ぎ口と、キャップによって閉じられる受け部とを有する。分配通路は、本体、受け部、および注ぎ口を通って延びている。
【００２４】
本発明の好ましい一形態において、蓋構造体の基部および備品受け部は、互いにスナップ嵌合するようになっている。
【００２５】
本発明の現時点で好ましい一形態において、蓋構造体はさらに、（１）（ａ）キャップと基部の間に配置され、（ｂ）第１の壊れやすいウェブによって一縁部に沿って画定される開封帯と、（２）第１および第２の壊れやすいウェブを破った後に、開封帯をキャップに取り付けたままにするように、開封帯の一部のみをキャップに連結させる第２の壊れやすいウェブとを含んでいる。これによって、処分する必要がある別の切取り廃棄片を作る必要がなくなる。
【００２６】
開封帯は、第１および第２の壊れやすいウェブがそれぞれ厚さ断面を小さくした材料によって画定される、ほぼ円錐台形の構造をしていることが好ましい。開封帯は、把持可能なタブと、キャップと合体する反対側の端部を含んでいることが好ましく、第２の壊れやすいウェブは、把持可能なタブから反対側の端部に延びている。
【００２７】
キャップは、ねじまたはスナップばめビードおよび溝構造などの保持機構と合わせて、摩擦密封表面または密封ビードを含む、適当な手段により備品上に密封的に配置することができる。
【００２８】
備品受けは、備品本体の上に延びるプラットホームを含み、このプラットホームは、プラットホームを通って延びる少なくとも１つの開口部を画定することが好ましい。蓋構造体基部の好ましい形態は、（１）ポストと、（２）（ａ）ポストの遠位端部に配置され、（ｂ）ヘッドまたはプラットホームの何れかを一時的に弾性変形させることにより、プラットホーム開口部を通してヘッドを押すことができるように、開口部より広い大きなヘッドとを含んでいる。したがって、備品および蓋構造体を取り外し不可能なスナップばめ係合で保持するように、ヘッドをプラットホームに隣接して配置して、ポストを開口部に受け入れさせることができる。
【００２９】
代替実施例において、可撓性のあるスリット型圧力開放可能な弁などの分配弁を、備品の分配通路内に取り付けることができる。
【００３０】
本発明の他の目的、特徴、および利点の多くは、以下の詳細な説明、特許請求の範囲、および添付図面からすぐに明らかになるだろう。
【実施例】
【００３１】
添付図面において、全体を通して同様の部品を示すのに、同様の数字を使用する。
【００３２】
本発明は、多くの異なる形態で実施することが可能であるが、本明細書および添付図面では、本発明を実施する備品の例として、いくつかの特定の実施例のみを開示している。しかし、本発明は、このように開示した実施例に限定することを意図したものではない。本発明の範囲は、添付の特許請求の範囲において指示されている。
【００３３】
説明を簡単にするため、開示した実施例を、選択した方向で図示し、説明する。しかし、本発明を実施する分配構造体を、開示した方向以外の方向で、製造、貯蔵、運搬、使用、および販売することができることが理解されるだろう。
【００３４】
図１および図２は、折り畳み可能な袋状容器６０上に設置して示し、全体を通して参照番号５０で示す、本発明の分配構造体を図示している。袋状容器６０は、分配構造体５０を開いた後に分配される流動製品を含み、このような製品は、食品、飲料、パーソナル・ケア製品、日用製品、または他の液体、懸濁液、ペースト、ゲル、粉末、粒子などの形の類似製品または非類似製品であってもよい。
【００３５】
特別なまたは従来の設計の、折り畳み可能な袋状容器６０は普通、図１に示すように、対向した２つの可撓性ウェブ部６１、６２を備えるように、可撓性のある熱密封可能な高分子シート、または熱密封可能な高分子裏張りを有する可撓性のあるボール紙または金属箔シートから作られていることが好ましい。ウェブ部６１、６２は、周縁部で互いに密封されて、内部領域を画定し、（１）内部領域に開口し、（２）分配構造体５０を折り畳み可能な袋状容器６０に密封させたときに、分配構造体５０の下部を受けるようになっている開口を画定している。
【００３６】
図４から分かるように、本発明の分配構造体５０は、それぞれ別々に成型することができ、したがって互いに取り付けられるまたは連結されることが好ましい、２つの基本要素、部分、または部品、すなわち備品７０および蓋構造体８０を含んでいる。
【００３７】
現時点で好ましい形態において、少なくとも備品７０は、好ましくは高分子材料である、高密度ポリエチレン（ＨＤＰＥ）で成形され、この材料は好ましくは、超音波接合、または接着固定などにより、折り畳み可能な袋状容器６０のウェブ部６１、６２に密封されるのに適している。
【００３８】
図８から分かるように、備品７０は、本体８２を通って延び、蓋構造体８０が開いた時に、袋状容器の内部と袋状容器の外部の間の繋がりを確立する内部分配通路８４を備える本体８２を含んでいる。備品本体８２は、袋状容器開口の中に嵌合し、袋状容器ウェブ部６１、６２に密封されるように、適切であればどんな特別なまたは従来の設計をしていてもよい。本発明の分配構造体で使用することができる、このような備品本体の設計が、２０００年８月１７日提出の係属中の米国特許出願第０９／６４０，６１４号の図９〜図１３に開示されており、これと矛盾しない程度に、この特許出願の開示を参照によってここに援用する。基本的に、このような備品本体は、外部表面を画定するほぼボート形の構造をしており、超音波熱接合あるいは別の方法により、袋状容器フィルム壁またはウェブの可撓縁に密封的に固定される。備品本体が、適切な密封表面および分配通路を備えるべきであるという事実以外に、備品本体の特定の詳細な設計は、本発明の一部をなすものではない。
【００３９】
図８に示す現時点で好ましい形態において、備品本体８２が、開口底部８６、上部デッキ８８、および対向する２つの側壁部９１、９２（図６）を備えた中空ボート形構造となるように成型される。図４に示す好ましい実施例において、フィン９５は、備品７０の対向するそれぞれの端縁部から突出している。備品の好ましい一形態において、周寸法が、底部における最も小さい寸法から、増えた後には減らない、底部と上部の間の中間寸法を通って、上部における最大寸法まで増える。
【００４０】
図８に示すように、中空受け部９３は、デッキ８８から上に突出し、４つのウイングまたはタブ９６（図４）を備えるプラットホーム９４を有する。図１３から分かるように、タブ９６は、本体８２のあらゆる部分の上にかからないことが好ましい。図４および図１３に示すように、各タブ９６は開口部９８を画定する。図４に示すように、プラットホーム９４はまた、２つのアーチ形溝１００を画定している。
【００４１】
図８から分かるように、注ぎ口１２０は本体８２および受け部９３の上に延びている。分配通路１２２は、注ぎ口１２０を通って延び、注ぎ口１２０の底部で受け部９３および本体８２の内部中空領域と繋がる。注ぎ口通路１２２を、本体分配通路８４（図８）の延長または一部としてみなすことができる。備品７０全体はしたがって、底部から上部に備品全体を通って延びる、分配通路８４、１２２を含むことを特徴とすることもできる。
【００４２】
好ましい実施例において、注ぎ口１２０は、図８に示すように外部雄ねじ１２４を含んでいる。好ましい製造方法において、備品７０は熱可塑性材料から成形されており、注ぎ口ねじ１２４は、金型部から備品７０のねじ込みを外すことにより、隣接する噛合った金型部から解放される。もう１つの製造方法において、隣接する金型部から備品７０のねじ込みは外れない。むしろ、備品７０および金型は、単に引っ張って離され、この目的のため、雄ねじ１２４は十分浅いことが好ましく、注ぎ口の壁厚さは十分に薄く可撓性があり、それによって金型から備品を外すのに、ねじを解放するためのサイドアクション金型アセンブリは必要ない。したがって、備品本体８２の上述の形状、およびタブ９６が本体８２の上に直接かからない事実を考えると、備品７０を単純な２部品金型で成型することができ、この金型は水平分割面を画定し、分割面と垂直なアクション方向に沿って、かつサイドアクション動作なしで、互いの金型部の簡単な単軸直線引っ張り運動によって開くことができる。
【００４３】
代替実施例（図示せず）において、備品７０は、備品７０の注ぎ口１２０の中または下に取り付けられた、内部スリット型圧力開放可能な可撓弁（図示せず）を備えることができる。この弁は、その開示をこれに関連する程度、かつこれに矛盾しない程度に本明細書に援用した、米国特許第５，８３９，６１４号に開示した弁と、構造的および機能的に一致または類似していてもよい。
【００４４】
蓋構造体８０は、備品７０とは別に成形されることが好ましく、したがって備品に取り付けることができる。図１０に示すように、蓋構造体８０は基部１３０を含み、図３および図５に示すように、備品受けプラットホーム９４に固定可能かつ解放不可能に取り付けられる。図１３に示すように、蓋構造体８０を備品７０に取り付ける機構は、４本のポスト１３４および２つのアーチ形案内部材１３８を含む。アーチ形案内部材１３８はそれぞれ、備品プラットホームのアーチ形溝１００（図４）の一つに受け入れられるようになっており、ポスト１３４はそれぞれ、備品受けプラットホーム開口部９８（図１３）の一つに受け入れられるようになっている。図９に図示するように、各ポスト１３４の上端部または基端部は、ほぼアーチ形の２つの開口１４４（図２０）の間に延びる２つの支持ウェブまたはブリッジ１４２により蓋構造体の上部１３０に結合される。
【００４５】
図１５に図示するように、各ポスト１３４は、開口部９８より広い、ポスト遠位端部に配置された大きなヘッド１４０を有する。この大きなヘッド１４０は、開口部９８への挿入に対応するように、傾斜面（図１５に示す）を画定する。プラットホーム９４および／またはヘッド１４０を一時的に弾性変形させることにより、大きなヘッド１４０を備える各ポスト１３４を、プラットホーム開口部９８を通して押し込むことができ、それによって備品７０および蓋構造体８０を互いに取り外し不可能なスナップばめ係合で保持するように、ヘッド１４０を受け部のプラットホーム９４の底部側に隣接して配置した状態で、ポスト１３４を最終的に開口部９８に受けさせることができる。
【００４６】
図４に図示するように、蓋構造体８０はまた、基部１３０からキャップ１６０に上向きに延びる開封帯１５０を含む。開封帯１６０の一端部は、把持可能なタブ１７０を含んでいる。
【００４７】
図１２を参照すると、キャップ１６０は、図７に示すように備品注ぎ口の雄ねじ１２４とねじ係合するようになっている、内部雌ねじ１７２を含む。図１２を参照すると、キャップ１６０はまた、図７に示すように備品注ぎ口排出通路１２２の上側開口端部に入るようになっている、ほぼ環状の密封プラグまたはスパッド１７６がそこから下がる、上部壁または上端部壁１７４を含んでいる。図８に示すように、備品注ぎ口１２０の上端部は、内側に延びる密封ビード１７８を画定して、キャップ１７０が注ぎ口１２０にねじ係合すると（図７に示す）、キャップ・スパッド１７６と密封的に係合する。
【００４８】
図４および図７に示すように、蓋構造体は最初、開封帯１５０の下縁部を基部１３０に連結させる少なくとも第１の壊れやすいウェブ１８０を含む。第２の壊れやすいウェブ１８２は、開封帯１５０の上縁部をキャップ１６０に連結させる。したがって、図示した好ましい実施例において、開封帯１５０は蓋構造体基部１３０と蓋構造体キャップ１６０の間に配置されている。開封帯１５０は円錐台形であることが好ましく、第１の壊れやすいウェブ１８０によって底縁部に沿って画定され、第２の壊れやすいウェブ１８２によって上縁部に沿って画定される。
【００４９】
好ましい実施例において、第１の壊れやすいウェブ１８０および第２の壊れやすいウェブ１８２はそれぞれ、厚さ断面を小さくした材料によって画定される。しかし、他の形態の壊れやすいウェブを使用することもできる。例えば、開口部によって離隔され周配置された接続タブまたはブリッジによって、開封帯１５０の下縁部を蓋構造体基部１３０に連結することができ、開封帯１５０の上縁部と蓋構造体キャップ１６０の間の壊れやすい連結は同じまたは異なる構造をもつこともできる。
【００５０】
代替実施例（図示せず）において、開封帯１５０を一緒に取り除くことができ、キャップ１６０を単一の壊れやすいウェブで蓋構造体基部１３０に直接連結することができる。しかし、好ましい配置は、蓋構造体の基部１３０とキャップ１６０の間に介在する開封帯１５０などの、開封帯を含んでいることを現時点では意図している。
【００５１】
開封帯１５０を蓋構造体８０で使用する場合、使用者は開封帯１５０の一端部から上向きに突出するタブ１７０を握ることができ、使用者は壊れやすいウェブ１８０、１８２を引き裂くようにタブ１７０を引っ張って、キャップ１６０を蓋構造体の基部１３０から離し、開封帯１５０をキャップ１６０から部分的にまたは完全に離すことができる。開封帯１５０がないということは、システムが開けられた、または不正に変更されたことを示す。
【００５２】
好ましい実施例において、開封帯１５０は、蓋構造体の基部１３０から完全に離れているが、キャップ１６０から完全には離れていない。開封帯１５０の一部が、キャップ１６０に連結されたままである（図１９）ことが好ましい。
【００５３】
開封帯１５０を蓋構造体の基部１３０から完全に離した後、キャップ１６０を備品注ぎ口１２０からねじって外すことができる。しかし、図１９に示すように、開封帯１５０の端部はキャップ１６０に連結されたままであり、それによって別々に処分しなければならない小さな屑片または廃棄片が作り出されるのを防ぐ。
【００５４】
図１９に示すように、本発明の好ましい形態において、開封帯１５０は、開封帯１５０が取付部または連結リブ１９０によりキャップ１６０と一緒になっている開封帯１５０の端部で、キャップ１６０の底縁部に連結したままである。開封帯１５０を引き裂く前の、開封帯１５０および連結リブ１９０の構造を、図９、図１１、図１６、図１７、および図１８に示す。図９および図１１は、開封帯１５０および取り付けた把持タブ１７０が、蓋構造体の基部１３０内に画定される開口２０２で終端する状態を示している。
【００５５】
図１１に示す構造の底部を、図１６の拡大斜視図に示す。図１６において、把持タブ１７０と反対側の開封帯１５０の端部を、連結部またはリブ１９０でキャップ１６０の底部と連結させて示している。キャップ１６０の底部は、第２の壊れやすいウェブ１８２に沿って開封帯１５０に連結される、ほぼ環状の平面２０６によって画定される。開封帯１５０の他の周縁部が、第１の壊れやすいウェブ１８０で蓋構造体の基部１３０に取り付けられている。図１２および図１６に示すように、開封帯１５０の内側表面は、下側または第１の表面２１１と、中間または第２の表面２１２と、上側または第３の表面２１３とを含んでいる。下側または第１の壊れやすいウェブ１８０に隣接して、蓋構造体の基部１３０が周壁表面２１６を画定する。
【００５６】
図１２および図１６を参照すると、開封帯１５０の内面が径方向内側に延びて、キャップ底部環状表面２０６の幅にわたってキャップ１６０の底部に連結されるリブ１９０を画定する、開封帯１５０の端部を除いて、キャップ１６０の底部環状表面２０６の外側底部周縁部に壊れやすいウェブ１８２を通して開封帯１５０が連結されていることが分かるだろう。
【００５７】
図１９に示すように、開封帯１５０を引っ張ると、開封帯１５０と基部１３０の間の壊れやすいウェブ１８０が、引き裂かれるまたは切断され、開封帯１５０をキャップ１６０に連結させる壊れやすいウェブ１８２も引き裂かれるまたは切断されるが、開封帯１５０はリブ１９０においてキャップ１６０の底部に取り付けられたままである。図２０および図２１は、開封帯１５０およびキャップ１６０を取り除いた後の分配構造体５０を示しており、簡単に図示するため、袋状容器６０（図１）を図２０および図２１では省略したものと理解する。図２０および図２１に示すように、キャップ１６０を取り除いた後に、前に詳細に説明したように、備品の受け部９４を通過して蓋構造体の基部１３０の裏側から突出するポスト１３４の大きなヘッド１４０で行われるスナップばめ係合によって、蓋構造体の基部１３０は備品の受け部９４にしっかり取り付けられたままである。
【００５８】
図２２および図２３は、本発明の分配構造体を使用する、パッケージの製造方法における中間段階を図示している。図２２および図２３に示す段階の前の製造ステップにおいて、図４に示す分配構造体の備品７０および分配構造体の蓋構造体８０は別々に成形されているが、組み立てられてはいない。備品７０は次いで、空の袋状容器６０の内部開口に密封され、中間アセンブリをその後、図２２および図２３に示すように、間隔を置いて配置した１対の平行レール２５０を含む、運搬システム内で支持することができる。フィラー・チューブを開いている注ぎ口１２０に挿入して、袋状容器に製品を詰める、充填機（図示せず）の下で、搬送システムに沿ってこのような空の袋状容器アセンブリを移動させることができる。このような機械の詳細な構造および動作は、本発明の一部をなすものではない。もちろん、望むなら、袋状容器に製品を手で詰めることができることが分かるだろう。
【００５９】
したがって、レール２５０上に支持されたままで、運搬システムが、備品の上に注ぎ口１２０上の蓋構造体８０（図４）を自動的に設置することに対応する、上側開口領域を有する、蓋構造体設置ステーション（図示せず）の下で、袋状容器に現在製品を詰めた状態で、アセンブリを移動させることができる。このような蓋構造体設置ステーションは図示しないが、このようなステーションの構造および動作は本発明の一部をなすものではない。もちろん、蓋構造体を注ぎ口１２０の上で備品に手で設置することができることが分かるだろう。
【００６０】
いかなる場合でも、蓋構造体８０の設置中に、蓋構造体８０（図４）が注ぎ口１２０上で下向きに押され、それによってキャップ１６０内の雌ねじ１７２（図７）が注ぎ口の雄ねじ１２４の上を摺動する。キャップ１６０は、このような設置過程に対応するのに十分な可撓性および弾力性をもっている。
【００６１】
蓋構造体８０が完全に下向きに押されると、蓋構造体の基部１３０が備品の受け部９４に係合する。蓋構造体の案内部材１３８が、備品の受け部のプラットホームの溝１００内に受け入れられ、蓋構造体の基部のポスト１３４（図１３）が備品の受け部のプラットホーム９４の開口部９８に入り、それによってポスト１３４の大きなヘッド１４０が受け部のプラットホーム９４の下にスナップ嵌めされ、確実できついスナップばめ係合が確立される。
【００６２】
スナップばめ係合により、使用者は従来の非破壊手段により備品の受け部のプラットホーム９４から蓋構造体の基部１４０を外すことができない。したがって、蓋構造体８０が備品の受け部のプラットホーム９４に取り付けられる場合、確実な不正開封防止アセンブリが作り出される。使用者は、袋状容器内部へのアクセスを得るため、開封帯１５０を引き裂かなくてはならない。
【００６３】
開封帯１５０自体を使用せず（代替実施例においては、図示せず）、代わりに、１つの壊れやすい環状ウェブのみを使用して、キャップ１６０を蓋構造体の基部１３０に直接連結させる場合でも、使用者はキャップ１６０に十分なトルクを加えることにより、１つの壊れやすいウェブを破かなければならない。この１つの壊れやすいウェブが破壊されていることが、このシステムに不正変更が加えられたこと、または少なくとも部分的にキャップ１６０のねじ込みが外されたことを示す働きをする。
【００６４】
本発明の分配構造体５０は、様々な他のパッケージ製造技術に対応する。例えば、空の袋状容器６０（図１）に、分配構造体５０を最初に設置しないで、流動製品を詰めることができる。分配構造体の備品７０および蓋構造体８０は次いで、既に組み立てられた一体型封止体分配構造体５０として設けることができ、袋状容器に製品を詰めた後に、開いている袋状容器の上部に熱密封することができる。
【００６５】
別のパッケージ製造の代替形態では、備品７０および取り付けた閉塞した蓋構造体８０を含む、分配構造体５０を、最初に対向する底端部が開いたままの空の袋状容器の上部の開口に密封することができる。袋状容器をその後、逆さまにすることができ、開口端部を通してこの袋状容器に製品を詰めることができる。したがって、熱密封、接着剤塗布などを含む、適当な従来のまたは特殊な技術によって、この開口端部を密封閉塞することができる。
【００６６】
使用者がキャップ１６０を取り除くと、袋状容器から注ぎ口を通した通過する製品の排出に干渉する可能性のある周囲構造が実質的になく、注ぎ口１２０が備品から突出することが分かるだろう。キャップ１６０は完全に取り外すことができ、かつ備品に取り付けられたままの開封帯の部分がないので、注ぎ口を通して袋状容器から内容物を注入することに対応し、さらに注ぎ口を使用者の口に挿入することに対応するのに、十分な隙間が開いている注ぎ口１２０の周りに存在する。
【００６７】
望むなら、分配弁を注ぎ口１２０に設置することができる。このような弁は、米国特許第５，８３９，６１４号に開示する弁と同じ、またはこれに類似していてもよい。このような弁はまた、注ぎ口の下で備品の内側に設置し、適切なスナップばめ構造または波形壁によってその位置に維持されて、弁のフランジと係合することができる。このような分配弁はまた、弁が備品の材料とは異なるシリコーンなどの材料で成形されている場合に特に適している、適当なバイインジェクション成型技術を使用して、備品内に直接成形することができる。
【００６８】
備品の注ぎ口１２０は、キャップねじ１７２（図７）とねじ係合する雄ねじ１２４を有するように示されているが、キャップ１６０を注ぎ口１２０上に解放可能に取り付ける他の手段を使用することもできる。例えば、キャップ・スパッド１７６（図７）を、さらに長く、外側を向いた雄ねじを含むように変更することができ、次いで備品の注ぎ口１２０は相補的な雌ねじを備えることができる。
【００６９】
別の代替形態において、キャップ１６０と注ぎ口１２０の間のねじ係合をともになくすことができる。代わりに、適当な内部または外部の解放可能なスナップばめビード／溝配置、またはビード／ビード配置を使用することもできる。
【００７０】
分配構造体５０の好ましい実施例を、蓋構造体８０を備品７０に固定する４つのスナップばめポスト１３４を備えて示しているが、より多いまたは少ない数のポストを使用できることが分かるだろう。
【００７１】
さらに、解放不可能なスナップばめ係合機構の他の形態を、ポストおよび受入れ開口部の代わりに使用することができる。スナップばめ係合が好ましいが、熱接合取付、超音波溶接、接着剤取付などの、蓋構造体８０を備品７０に連結させる異なる手段を設けることが望ましい応用例もある。
【００７２】
図に示した好ましい実施例において、蓋構造体８０は、下向きに下がるアーチ形の壁またはリブ１３８を含み、備品の溝１００（図４）内に受け入れられる。いくつかの応用例では、これらの機構を省略することができる。しかし、使用する場合は、これらの機構を、蓋構造体のポスト１３４を備品の受け部の開口部９８に心合わせするのに役に立つように設計することができる。これによって、蓋構造体８０の備品７０上への位置決めを安定させる助けとなることができる。これは、完成したアセンブリを使用者および捩じり動作によって開き、トルクをこのアセンブリに加えると、有利である。
【００７３】
図４および図１３を参照すると、蓋構造体はまた、下向きに突出する１対のリブまたは壁２８０を含むのが好ましく、これらが備品の受け部のプラットホームのウイングまたはタブ９６間の空洞を埋めて、完成したアセンブリに円滑かつ均一な外観が与えられる。
【００７４】
好ましい実施例において、開封タブ１５０は、ほぼ円錐台形をもつように形成される。これによって、特別かつ複雑な成型動作を必要とする切り込みを使用することなく、壊れやすい連結ウェブおよび把持タブをより簡単に成型する事が可能になる。しかし、このような複雑な成型動作の費用が可能ないくつかの応用例では、開封帯１５０はほぼ円錐台形以外の適当な形状をしていてもよい。
【００７５】
多くの他の変更および変更形態を、本発明の新規の概念または原則の真の精神および範囲から逸脱することなく実施することができることは、前述の詳細な説明および添付図面から簡単に考えられるだろう。
【図面の簡単な説明】
【００７６】
【図１】折り畳み可能な袋状容器に設置して示す、本発明の分配構造体の側面図である。
【図２】図１の平面２−２にほぼ沿った前面図である。
【図３】図１および図２に示した袋状容器に設置する前の、本発明の分配構造体の上面斜視図である。
【図４】２つの部品を組み立てて分配構造体を形成する前の、備品部品および蓋構造体部品を示す、図３に示した分配構造体の展開斜視図である。
【図５】図３の平面５−５にほぼ沿った、分配構造体の側面図である。
【図６】図５の平面６−６にほぼ沿った、端面図である。
【図７】図６の平面７−７にほぼ沿った、断面図である。
【図８】図４に示した分配構造体の備品の部分断面図および側面図を組み合わせた図である。
【図９】図４の平面９−９にほぼ沿った、蓋構造体の上面図である。
【図１０】図９の平面１０−１０にほぼ沿った側面図である。
【図１１】図１０の平面１１−１１にほぼ沿った底面図である。
【図１２】図９の平面１２−１２にほぼ沿った断面図である。
【図１３】蓋構造体および備品を組み立てる前の、分配構造体部品の展開底部斜視図である。
【図１４】蓋構造体および備品を組み立てた後の、分配構造体の底部斜視図である。
【図１５】図３の平面１５−１５にほぼ沿った、拡大した断片断面図である。
【図１６】蓋構造体の一部の大きく拡大した断片底部斜視図である。
【図１７】図９の平面１７−１７にほぼ沿った、大きく拡大した断片断面図である。
【図１８】図９の平面１８−１８にほぼ沿った、大きく拡大した断片断面図である。
【図１９】開封帯を、蓋構造体の残っている部分とキャップの一部から離すように引き裂いた後とキャップの備品の注ぎ口からのねじ込みが外された後の、キャップの底部斜視図である。
【図２０】キャップを取り除いた後の、分配構造体の上部斜視図である。
【図２１】図２０の平面２１−２１にほぼ沿った、一部断面図である。
【図２２】パッケージ詰めおよび次の加工のため、備品によってレール・システム上にパッケージを支持した状態で、それぞれ備品を含む２つのパッケージの断片斜視図である。
【図２３】図２２の平面２３−２３にほぼ沿った、加工システムの端面図である。
【国際公開パンフレット】
2004533974.tif 000003
2004533974.tif 000004
2004533974.tif 000005
2004533974.tif 000006
2004533974.tif 000007
2004533974.tif 000008
2004533974.tif 000009
2004533974.tif 000010
2004533974.tif 000011
2004533974.tif 000012
2004533974.tif 000013
2004533974.tif 000014
2004533974.tif 000015
2004533974.tif 000016
2004533974.tif 000017
2004533974.tif 000018
2004533974.tif 000019
2004533974.tif 000020
2004533974.tif 000021
2004533974.tif 000022
2004533974.tif 000023
2004533974.tif 000024
2004533974.tif 000025
2004533974.tif 000026
2004533974.tif 000027
2004533974.tif 000028
2004533974.tif 000029
2004533974.tif 000030
2004533974.tif 000031
2004533974.tif 000032
2004533974.tif 000033
2004533974.tif 000034
2004533974.tif 000035
2004533974.tif 000036
2004533974.tif 000037
2004533974.tif 000038
2004533974.tif 000039
2004533974.tif 000040
2004533974.tif 000041
【国際公開パンフレット（コレクトバージョン）】
2004533974.tif 000042
【国際調査報告】
2004533974.tif 000043
2004533974.tif 000044